(57)【要約】      （修正有）【課題】設置が容易で、必要な強度を有するコンクリート基礎を提供する。【解決手段】コンクリート基礎１は、被支持物が固定される２つのコンクリートブロック２、少なくとも１つの中間コンクリートブロック３、および、２枚のプレート４からなる。前記２つのコンクリートブロックおよび前記中間コンクリートブロックの表面には、ボルトが摺動可能に挿入されるレール５を埋め込む。前記２枚のプレートは上部が直角に折り曲げられた折曲げ部が形成され、前記２つのコンクリートブロックを平行に配置し、前記２つのコンクリートブロックの間に、前記中間コンクリートブロックを前記コンクリートブロックと平行に配置し、前記２つのコンクリートブロックおよび前記中間コンクリートブロックを２つのプレートによって挟み込み、前記２つのコンクリートブロックおよび前記中間コンクリートブロックのレールに挿入したボルトを用いて前記プレートと、前記コンクリートブロックおよび前記中間コンクリートブロックと固定する。【選択図】図１
0003170488.tif 000002
【実用新案登録請求の範囲】
【請求項１】
被支持物を支持し固定するために、複数のコンクリートブロックを用いたコンクリート基礎であって、
被支持物が固定される２つのコンクリートブロック、少なくとも１つの中間コンクリートブロック、および、２枚のプレートからなり、
前記２つのコンクリートブロックおよび前記中間コンクリートブロックの表面には、ボルトが摺動可能に挿入されるレールが埋め込まれ、
前記２枚のプレートは上部が直角に折り曲げられた折曲げ部が形成され、
前記２つのコンクリートブロックを平行に配置し、前記２つのコンクリートブロックの間に、前記中間コンクリートブロックを前記コンクリートブロックと平行に配置し、
前記２つのコンクリートブロックおよび前記中間コンクリートブロックを２つのプレートによって挟み込み、前記２つのコンクリートブロックおよび前記中間コンクリートブロックのレールに挿入したボルトを用いて前記プレートと、前記コンクリートブロックおよび前記中間コンクリートブロックと固定することを特徴とするコンクリート基礎。
【請求項２】
前記コンクリートブロックに垂直方向に貫通する孔を設け、前記孔に固定ボルトを挿入し、さらに前記固定ボルトを前記コンクリートブロックの下にある地盤に埋め込むことにより、前記コンクリートブロックを地盤に固定することを特徴とする請求項１に記載のコンクリート基礎。
【請求項３】
前記固定ボルトの先端に固定ブロックを取り付け、前固定ブロックを地盤に埋設することを特徴とする請求項２に記載のコンクリート基礎。
【考案の詳細な説明】
【技術分野】
【０００１】
本考案は、タンクユニット、空調機等を据え付ける際に基礎として用いられるコンクリート基礎に関する。
【背景技術】
【０００２】
タンクユニット、空調機等の機器を屋外に設置する際には、転倒防止のために基礎が必要である。そのために機器を設置する場所にコンクリートを打設して基礎を設け、アンカーボルト等を用いて機器をコンクリートの基礎に固定し、支持する方法が用いられている。
【先行技術文献】
【特許文献】
【０００３】
【特許文献１】特開平１１−１８１７９５号公報
【考案の概要】
【考案が解決しようとする課題】
【０００４】
しかしながら、機器を設置する現地でコンクリートを打設する場合には、コンクリート打設後すぐには荷重をかけることができないために、コンクリートの養生期間が必要であり、タンクユニット、空調機等の機器を１日で設置することはできないと言う問題があった。また、現地で打設するコンクリートの強度にはバラツキがあり、品質の面でも問題がある。
【０００５】
本考案では、従来の基礎コンクリートの問題を解決し、簡単に設置可能で、必要な強度や十分な耐震性能を有するコンクリート基礎を提供することを目的としている。
【課題を解決するための手段】
【０００６】
被支持物を支持し固定するために、複数のコンクリートブロックを用いたコンクリート基礎であって、被支持物が固定される２つのコンクリートブロック、少なくとも１つの中間コンクリートブロック、および、２枚のプレートからなり、前記２つのコンクリートブロックおよび前記中間コンクリートブロックの表面には、ボルトが摺動可能に挿入されるレールが埋め込まれ、前記２枚のプレートは上部が直角に折り曲げられた折曲げ部が形成され、前記２つのコンクリートブロックを平行に配置し、前記２つのコンクリートブロックの間に、前記中間コンクリートブロックを前記コンクリートブロックと平行に配置し、前記２つのコンクリートブロックおよび前記中間コンクリートブロックを２つのプレートによって挟み込み、前記２つのコンクリートブロックおよび前記中間コンクリートブロックのレールに挿入したボルトを用いて前記プレートと、前記コンクリートブロックおよび前記中間コンクリートブロックと固定することを特徴とする。
【０００７】
そして、前記コンクリートブロックに垂直方向に貫通する孔を設け、前記孔に固定ボルトを挿入し、さらに前記ボルトを前記コンクリートブロックの下にある地盤に埋め込み、前記固定ボルトを前記コンクリートブロックに固定する。
【０００８】
さらに、前記固定ボルトの先端に固定ブロックを取り付け、前固定ブロックを中に埋設する。
【考案の効果】
【０００９】
被支持物を支持し固定するために、複数のコンクリートブロックを用いたコンクリート基礎であって、被支持物が固定される２つのコンクリートブロック、少なくとも１つの中間コンクリートブロック、および、２枚のプレートからなり、前記２つのコンクリートブロックおよび前記中間コンクリートブロックの表面には、ボルトが摺動可能に挿入されるレールが埋め込まれ、前記２枚のプレートは上部が直角に折り曲げられた折曲げ部が形成され、前記２つのコンクリートブロックを平行に配置し、前記２つのコンクリートブロックの間に、前記中間コンクリートブロックを前記コンクリートブロックと平行に配置し、前記２つのコンクリートブロックおよび前記中間コンクリートブロックを２つのプレートによって挟み込み、前記２つのコンクリートブロックおよび前記中間コンクリートブロックのレールに挿入したボルトを用いて前記プレートと、前記コンクリートブロックおよび前記中間コンクリートブロックと固定することにより、簡単に、短時間で、そして確実にタンクユニット、空調機等を据え付けることが可能となる。
【００１０】
そして、前記コンクリートブロックに垂直方向に貫通する孔を設け、前記孔に固定ボルトを挿入し、さらに前記ボルトを前記コンクリートブロックの下にある地盤に埋め込み、前記固定ボルトを前記コンクリートブロックに固定することにより、コンクリート基礎は地盤に固定されることとなり、耐震性能を高めることが可能となる。
【００１１】
さらに、前記固定ボルトの先端に固定ブロックを取り付け、前固定ブロックを中に埋設することにより、コンクリート基礎はより強固に地盤に固定され、さらに耐震性能を高めることが可能となる。
【図面の簡単な説明】
【００１２】
【図１】本考案のコンクリート基礎の斜視図である。
【図２】コンクリートブロックの斜視図である。
【図３】中間コンクリートブロックの斜視図である。
【図４】プレートの斜視図である。
【図５】コンクリー基礎の組み立て手順を示す斜視図である。
【図６】コンクリー基礎の組み立て手順を示す斜視図である。
【図７】固定ボルトによって地盤に固定された状態のコンクリート基礎の断面図である。
【図８】固定ボルトおよび固定ブロックによって地盤に固定された状態のコンクリート基礎の断面図である。
【考案を実施するための形態】
【００１３】
以下に、図を用いて本考案コンクリート基礎１について詳しく説明する。図１に示すのが、タンクユニット、空調機等を据え付ける際に使用する本考案のコンクリート基礎１の斜視図である、。
【００１４】
図１に示すように、本考案のコンクリート基礎１は、２つのコンクリートブロック２と、前記２つのコンクリートブロック２の間に配置された中間コンクリートブロック３と、前記コンクリートブロック２および前記中間コンクリートブロック３を互いに固定する２枚のプレート４から構成される。
【００１５】
前記コンクリートブロック２は、図２に示すように、略台形断面を有し、その表面には前面から後面へと長手方向に延びるレール５が埋設されており、前面および後面には、前記コンクリートブロック２を持ち運ぶ際に持ち手６となる窪みが設けられている。前記レール５は被支持物を固定するためのボルト１０が摺動可能に挿入されるものであり、その幅は前記ボルト１０の頭部が摺動可能、かつ回転することができない幅に設定されている。また、前記レール５の断面形状は略Ｕ字状で、かつ、その上端部にはそれぞれ内側へ９０度に折り曲げられた折曲げ部が設けられており、前記折曲げ部によって前記ボルト１０の頭部が上方へと抜けるのが防止されている。
【００１６】
前記レール５に挿入されるボルト１０は、被支持物を固定するためのものと、前記コンクリートブロック２を前記プレート４に固定するためのものの２種類があり、前記プレート４への固定に使用するものとして２個、そして、被支持物の固定に使用するものは被支持物の脚の数に応じて必要な個数を用意する。さらに、前記コンクリートブロック２には上面から下面へと貫通する２つの孔９を設けている。前記孔９は前記コンクリート基礎を地盤に固定するために、固定用ボルト１３を挿入するものである。
【００１７】
前記中間コンクリートブロック３は、図３に示すように、前記２つのコンクリートブロック２の間に配置されるものであり、被支持物の大きさに合わせて配置される前記２つのコンクリートブロック２の間隔に応じて個数を決めることができる。本実施形態では３個の中間コンクリートブロック３を等間隔で隙間を設けて配置しているが、前記２つのコンクリートブロック２の間隔によっては、隙間無く配置することも可能である。
【００１８】
前記中間コンクリートブロック３は、前記コンクリートブロック２よりも幅の狭い略台形断面を有し、その表面には前記コンクリートブロック２と同様に、レール７が埋設されている。前記レール７の形状は前記コンクリートブロック２のレール５と同じであり、前記ボルト１０が摺動可能に挿入されるものである。前記レール７に挿入されるボルト１０は、前記中間ブロック３を前記プレートに固定するものであり、被支持物の固定には使用されないが、場合によっては被支持物の固定に使用することも可能である。
【００１９】
前記プレート４は、前記コンクリートブロック２および前記中間コンクリートブロック３を互いに固定するものであり、図４に示すように、断面は略逆Ｌ字状で、上部の折曲げ部には２つの長孔８が設けられている。前記長孔８は前記コンクリートブロック２と前記プレート４をボルト１０およびナット１１を用いて固定する際に使用するものであり、前記コンクリートブロック２と前記プレート４を固定する位置を調節可能とするために、円形ではなく長孔形状を用いている。
【００２０】
次に、コンクリート基礎１の組み立て方法について説明する。まず初めに、図５に示すように、２つのコンクリートブロック２を、被支持物の大きさに合わせて間隔を決めて平行に配置する。次に、２つのコンクリートブロック２の間隔に応じて中間コンクリートブロック３の個数を決めて、２つのコンクリートブロック２の間に、前記中間コンクリートブロック３を前記コンクリートブロック２と平行に配置する。ここでは、図６に示すように、３個の中間コンクリートブロック３を等間隔で配置する。
【００２１】
前記コンクリートブロック２および前記中間コンクリートブロック３を配置したら、次に、２つのプレート４を用いて前記コンクリートブロック２および前記中間コンクリートブロック３を互いに固定するが、この時、前記コンクリートブロック２のレール５には被支持物を固定する際に使用するボルト１０を予め挿入しておく。
【００２２】
そして、前記プレート４を前記コンクリートブロック２および前記中間コンクリートブロック３の前面と後面に仮置きし、前記中間コンクリートブロック３を固定するボルト１０を挿入するための孔を開ける。前記コンクリートブロック２を固定するボルト１０は前記長孔８を用いるが、前記中間コンクリートブロック３の位置は被支持物に応じてその都度変わるので、後から孔をあける方法を用いている。複数の孔を等間隔で予め開けておくことも可能である。
【００２３】
このようにして、前記プレート４に孔を開けたら、前記孔および前記長孔８に下からボルト１０を挿入しナット１１で仮留めした状態で、各ボルト１０を前記レール５および前記レール７に横から挿入して前記プレート４を、前記コンクリートブロック２および前記中間コンクリートブロック３の前面と後面に取り付ける。そして、ナット１１を締め付けると、図１に示すように、前記プレート４によって前記コンクリートブロック２および前記中間コンクリートブロック３が互いに固定された状態となり、前記コンクリート基礎１の組み立てが完了する。
【００２４】
この後、前記コンクリート基礎１の上に被支持物を配置し固定するが、この時、被支持物の脚を前記レール５に挿入しておいたボルト１０を用いる。被支持物の脚にはボルト用の孔が設けられているので、前記孔に前記ボルト１０が挿入されるように、前記ボルト１０の位置を調節し、前記ボルト１０が前記脚のボルト孔に挿入されたらナット１１を用いて締め付けて固定する。このようにして、被支持物の前記コンクリート基礎１への据え付けが完了する。
【００２５】
このように、本考案のコンクリート基礎１は、被支持物の大きさに合わせて自由に、そして簡単に全体の大きさを変えることができ、また、簡単に短時間で組み立てることが可能となる。そして、埋設配管等が存在する場合にも中間ブロック３の位置を調節することで容易に対応することができる。
【００２６】
前記コンクリートブロック２あるいは前記中間コンクリートブロック３の断面形は略台形に限定するものではなく、矩形等とすることも可能である。また、前記プレート４の断面形状についても、前記コンクリートブロック２および前記中間コンクリートブロック３のコーナー部分の面取りに合わせた形状とすることができる。
【００２７】
次に、コンクリートブロック２に設けた孔９を利用して、コンクリート基礎１の耐震性を高める方法について以下に説明する。前記コンクリート基礎１を直接地面に配置する場合、図７に示すように、前記孔９に固定用ボルト１３を上方から挿入する。この時、前記固定用ボルト１３を前記コンクリートブロック２の下の地盤へと挿し込むことで、前記コンクリートブロック２を地盤に固定することができる。４本の固定用ボルト１３を用いると、前記コンクリート基礎１は４隅で固定されることになるので、耐震性能が大幅に向上する。
【００２８】
地盤が軟弱地盤等の場合、前記固定用ボルト１３を地盤に挿入しただけでは十分な固定ができない場合がある。そこで、さらに耐震性能を高めるために、固定用ブロック１４を用いる。コンクリートブロック２の孔９に挿入した固定用ボルト１３の先端に固定用ブロック１４を配置する。この時、前記固定用ブロック１４を配置するためには、地盤を所定の深さまで掘削する必要がある。地盤を掘削した後で前記固定用ブロック１４を配置し、その後埋め戻しを行うが、この時、埋め戻す土を地盤改良を行うことによりより耐震性能を高めることができる。このような方法を用いると、前記コンクリート基礎１は地盤に埋設した固定用ブロック１４によって固定されることになり、耐震性能は大幅に向上する。
【００２９】
このように、本考案のコンクリート基礎１は地盤の状態に応じて様々な方法を用いて簡単に耐震性能を高めることが可能である。
【符号の説明】
【００３０】
１    コンクリート基礎
２    コンクリートブロック
３    中間コンクリートブロック
４    プレート
５    レール
６    持ち手
７    レール
８    長孔
９    孔
１０  ボルト
１１  ナット
１３  固定用ボルト
１４  固定用ブロック
【図１】
0003170488.tif 000003
【図２】
0003170488.tif 000004
【図３】
0003170488.tif 000005
【図４】
0003170488.tif 000006
【図５】
0003170488.tif 000007
【図６】
0003170488.tif 000008
【図７】
0003170488.tif 000009
【図８】
0003170488.tif 000010